(57)【特許請求の範囲】
【請求項１】
波形管を支持体部分に固定するための固定エレメントであって、当該固定エレメントが、固定基部によって前記支持体部分に結合可能であり、かつ係合手段を有しており、該係合手段が、波形管に設けられたアンダカットに係合可能である形式のものにおいて、固定基部（１０）が、ガイドレール（９）に固く結合されており、該ガイドレール（９）内で、不動に配置された、押込み方向（Ｐ）で先細りにされた締付け楔（１２）を備えたスライダ（１１）が移動可能であり、ガイドレール（９）の側壁（１７）と、該側壁（１７）に向かい合って位置する、締付け楔（１２）の楔面（２８）とに、鏡像的に互いに近づく方向に向けられた係合縁部（２１，２９）が形成されており、両係合縁部（２１，２９）が、固定したい波形管（１）に長手方向で鏡像的に平行に形成されたアンダカット（４）に係合可能であり、両係合縁部（２１，２９）の相関的な間隔が、ガイドレール（９）内へのスライダ（１１）の押込み時に締付け楔（１２）の作用によって減少するようになっていることを特徴とする、波形管を支持体部分に固定するための固定エレメント。
【請求項２】
スライダ（１１）が、その下面に、長手方向で間隔を置いて配置された２つの切欠き（３２）を有しており、両切欠き（３２）内に、ガイドレール（９）の、ばね弾性的に形成された係合舌片（２４）に設けられた係止突起（２５）が係止するようになっており、該係止突起（２５）が、スライダ（１１）のほぼ半分の長さで該スライダ（１１）の下面に位置する前方の切欠き（３２）に係合して位置するようになっており、これに対して、ガイドレール（９）内へのスライダ（１１）の押込み時に、係止突起（２５）が、スライダ（１１）に設けられた操作付設部（２６）の近くに位置する後方の切欠き（３２）内に係止するようになっており、これによって、スライダ（１１）が、ガイドレール（９）内で２つの位置をとることができるようになっており、一方の位置が、緩められた位置であり、他方の位置が、締め付けられた位置であり、緩められた位置では、スライダ（１１）が、部分的にガイドレール（９）から引き出されており、かつ両係合縁部（２１，２９）の間の間隔がより大きくなっており、締め付けられた位置では、スライダ（１１）が、ガイドレール（９）内に押し込まれており、かつ両係合縁部（２１，２９）の間の間隔が減少させられている、請求項１記載の固定エレメント。
【請求項３】
ガイドレール（９）が、底部（１５）と、スライダ（１１）のためのガイド面を備えた側壁（１６，１７）とを有しており、ガイドレール（９）の底部（１５）に切欠き（２３）によって、上方に向けられた係止突起（２５）を備えた、やや上方に曲げられた係合舌片（２４）が形成されており、該係合舌片（２４）が、スライダ（１１）の緩められた位置および締め付けられた位置を規定する間隔を置いてスライダ（１１）の下面に設けられた切欠き（３２）にばね弾性的に係合可能である、請求項２記載の固定エレメント。
【請求項４】
スライダ（１１）が、平らなベース部分（１９）を有しており、該ベース部分（１９）がその上面に、締付け楔（１２）を支持しており、スライダ（１１）が、外側の楔面（２７）とベース部分（１９）の内側の側面（３１）とを介してガイド面に案内されており、該ガイド面が、一方の側でガイドレール（９）の側壁（１６）によって形成されるようになっていて、他方の側でガイドレール（９）の側壁（１７）の段部（１８）によって形成されるようになっている、請求項３記載の固定エレメント。
【請求項５】
スライダ（１１）が、一方の側で、側壁（１６）に加工成形された方形の溝（２２）内にかつ他方の側で、段部（１８）の下方に加工成形された方形の溝（２０）内に、ベース部分（１９）の側方から張り出したガイド条片（３０，３３）によって案内されている、請求項４記載の固定エレメント。
【請求項６】
ガイドレール（９）の側壁（１６，１７）に形成された、スライダ（１１）のためのガイド面が、底部（１５）の中心線に対して斜めに延びており、かつスライダ（１１）のベース部分（１９）が、同じ角度で斜めに延びているのに対して、内側の楔面（２８）に形成された一方の係合縁部（２９）だけでなく、向かい合って位置するように、スライダ（１１）のベース部分（１９）のための一方のガイド面を成す段部（１８）の上方でガイドレール（９）の一方の側壁（１７）に形成された他方の係合縁部（２１）も、ガイドレール（９）の底部（１５）の中心線に対して平行に延びている、請求項３または４記載の固定エレメント。
【発明の詳細な説明】
【０００１】
本発明は、波形管を支持体部分に固定するための固定エレメントであって、当該固定エレメントが、固定基部によって前記支持体部分に結合可能であり、かつ係合手段を有しており、該係合手段が、波形管に設けられたアンダカットに係合可能である形式のものに関する。
【０００２】
波形管は、支持体部分に沿ってガイドしたいかまたは敷設したい、たとえば電気的な線路またはケーブル束を収容するために働く。波形管が、均等な間隔を置いて配置された円形の溝を備えて形成されていることによって、波形管は極めて可撓性となるので、ケーブル束は外部に対してカバーされかつ保護され、たとえば支持体部分の形状に追従して場所を節約して任意にガイドすることができる。内部に位置するケーブル束を備えた波形管をその場所に保持するためには、波形管がその距離において特定の間隔で、該当する支持体部分に固定されなければならない。このためには、たとえば波形管の、リブ付けされた外面に、長手方向で鏡像的に平行に延びる２つのアンダカットが設けられている。両アンダカットには、支持体部分に特定の間隔を置いて取り付けられた固定エレメントをクランプ式に背後から係合させることができる。
【０００３】
このような波形管は種々異なる直径を備えている。比較的小さな直径と比較的肉薄の壁とを備えた波形管では、当然ながら、前記アンダカットは小さくなるので、このアンダカットは固定クランプのために小さな作用面しか提供せず、固定が十分確実に行われないようになる恐れがある。
【０００４】
本発明の課題は、固定エレメントを改良して、比較的小さな直径と、これに相応して、僅かに深く設けられたアンダカットとを備えた特殊な波形管を支持体部分に確実に固定することができるようにすることである。
【０００５】
本発明によれば、このことは、固定エレメントの固定基部が、ガイドレールに固く結合されており、該ガイドレール内で、不動に配置された、押込み方向で先細りにされた締付け楔を備えたスライダが移動可能であり、ガイドレールの側壁と、該側壁に向かい合って位置する、締付け楔の楔面とに、互いに鏡像的に整合された係合縁部が形成されており、両係合縁部が、固定したい波形管に長手方向で鏡像的に平行に形成されたアンダカットに係合可能であり、両係合縁部の相関的な間隔が、ガイドレール内へのスライダの押込み時に減少するようになっていることによって達成される。
【０００６】
スライダが、ガイドレール内で２つの位置をとることができるようになっており、一方の位置が、緩められた位置であり、他方の位置が、締め付けられた位置であり、緩められた位置では、スライダが、部分的にガイドレールから引き出されており、かつ両係合縁部の間の間隔がより大きくなっており、締め付けられた位置では、スライダが、ガイドレール内に押し込まれており、かつ両係合縁部の間の間隔が減少させられている
スライダの緩められた位置では、固定したい波形管の長手方向で平行に延びるアンダカットが、相当する間隔を互いに保持している係合縁部に係合される。両係合縁部は、ガイドレールの側壁と、締付け楔の、向かい合って位置する楔面とに一体成形されている。その後、スライダがガイドレール内に押し込まれると、スライダに配置された締付け楔の楔作用によって、両係合縁部の間の間隔が減少させられるので、波形管に設けられたアンダカットとの係合が緊締され、したがって、アンダカットに対する作用面が比較的小さい場合でも波形管の確実な保持が保証されている。
【０００７】
ガイドレールが、底部と、スライダのためのガイド面を備えた側壁とを有しており、ガイドレールの底部に切欠きによって、上方に向けられた係止突起を備えた、やや上方に曲げられた係合舌片が形成されており、該係合舌片が、スライダの緩められた位置および締め付けられた位置を規定する間隔を置いてスライダの下面に設けられた切欠きにばね弾性的に係合可能であると有利である。これによって、スライダは、緩められた位置で紛失され得ることなしにガイドレール内に保持されていて、締め付けられた位置でロックされるので、固定エレメントからの波形管の不本意な解離は阻止される。
【０００８】
本発明の有利な構成によれば、スライダが、平らなベース部分を有しており、該ベース部分がその上面に、締付け楔を支持しており、スライダが、外側の楔面とベース部分の内側の側面とを介してガイド面に案内されており、該ガイド面が、一方の側でガイドレールの側壁によって形成されるようになっていて、他方の側でガイドレールの側壁の段部によって形成されるようになっている。
【０００９】
スライダが、一方の側で、側壁に加工成形された方形の溝内にかつ他方の側で、段部の下方に加工成形された方形の溝内に、ベース部分の側方から張り出したガイド条片によって案内されていると有利である。
【００１０】
本発明の有利な構成によれば、ガイドレールの側壁に形成された、スライダのためのガイド面が、底部の中心線に対して斜めに延びており、かつスライダのベース部分が、同じ角度で斜めに延びているのに対して、内側の楔面に形成された一方の係合縁部だけでなく、向かい合って位置するように、スライダのベース部分のための一方のガイド面を成す段部の上方でガイドレールの一方の側壁に形成された他方の係合縁部も、ガイドレールの底部の中心線に対して平行に延びている。これによって、波形管のアンダカットに対する係合縁部の良好な締付け作用が達成される。
【００１１】
以下に、本発明の実施例を図面につき詳しく説明する。
【００１２】
図１には側面図でかつ図２には１つの開口の方向で見た図で自体公知の波形管１が示してある。この波形管１は、円形の溝２によって周壁面に形成された典型的なリブ３を備えている。このリブ３によって波形管１は可撓性を獲得している。図１および図２において、波形管１の下側には、長手方向に延びる鏡像的に平行な２つのアンダカット４が設けられている。両アンダカット４によって、波形管１の周壁面に一体成形された固定条片５が形成される。波形管１は特定の使用時に長手方向で切り開くことができ、これによって、敷設したいケーブル束を、このように形成された拡張可能なスリットを通して波形管１内に挿入することができる。スリットがケーブル束の挿入後に再び閉鎖されることは、波形管１のために有利に選択されたプラスチックの材料特性である。
【００１３】
波形管１はその固定条片５で、支持体部分（図示せず）に設けられていてよい固定エレメント内に押し込むことができるかまたは圧入することができる。この場合、この固定エレメントに設けられた係合手段は固定条片５のアンダカット４に背後から係合し、したがって、支持体部分に対する波形管１の確実な保持が達成される。ケーブル束を波形管１内に挿入するためのスリットは、特に固定条片５以外に、有利には固定条片５とは反対の側に形成されるので、さらに追加的にただ１つのまたは複数のケーブル束を波形管１内に敷設することもできる。当然ながら、ケーブル束を、スリット付けされていない波形管１に通し、この波形管１をその固定条片５で固定エレメントに固定することも可能である。特殊な使用事例において、スリットを固定条片５に、この場合、有利には固定条片５の中心線に沿って設けることが優遇されても、このことは同じく可能となる。この事例では、固定条片５がそのアンダカット４で固定エレメントの係合手段に係合された後、スリットが押し合わされ、波形管１がいわば閉鎖された状態で維持される。このことは、特定の事例において、付加的な保護と見なされ得る。
【００１４】
比較的小さな直径と比較的肉薄の壁６とを備えた波形管１では、アンダカット４が当然ながら小さくなるので、この波形管１は、支持体部分に対する有効に確実な保持を保証するために十分となる作用面を、公知の固定エレメントのためにしばしば提供していない。ここでは、本発明による固定エレメント７によって、対策が講じられるようになっている。
【００１５】
図３には、新規の固定エレメント７の斜視図が示してあり、図４には、同じ固定エレメント７の側面図が示してある。この固定エレメント７は、主として、２つの部分、すなわち、ガイドレール９と固定基部１０とを備えた基体８と、締付け楔１２を備えたスライダ１１とから成っている（図７〜図１２も参照）。図４、図６、図８および図９から最もよく知ることができるように、基体８は、弾性的に変形可能な自体公知の固定基部１０を有している。この固定基部１０で基体８は、支持体部分（図示せず）の開口内に挿入することができ、この開口内に固定することができる。固定基部１０の上方に続く円形のつば１３で基体８もしくは固定エレメント７は支持体部分の表面に載置する。
【００１６】
つば１３の上方では、このつばに接触するように、長手方向に延びるガイドレール９が成形されている。このガイドレール９は直方体状の基本形状を有している。この基本形状の上面には、長手方向で斜めに延びる切欠き１４が加工成形されており、これによって、１つの底部１５と２つの側壁１６，１７とが残される。一方の側壁１６はスライダ１１の押込み方向Ｐ（下記参照）で拡幅されており、他方の側壁１７は同じ方向で先細りにされている。
【００１７】
先細りにされた側壁１７は、内方に向けられた段部１８を有している。この段部１８は、組み合わされた状態でスライダ１１のベース部分１９と整合していて、したがって、スライダ１１のためのガイド面と固定条片５のための共通の載置面とを成している（図６参照）。段部１８の下方には方形の溝２０が加工成形されている。この溝２０は底部１５の面の上方に設けられている。側壁１７の自由端部は、長手方向で直線状に延びる、内方に向けられかつ先細りにされた係合縁部２１が形成されるようにアンダカットされている。この係合縁部２１は、図６に示したように、波形管１の固定条片５に設けられた一方のアンダカット４に背後から係合することができる。
【００１８】
向かい合って位置する、押込み方向Ｐで拡幅された側壁１６には、ベース部分１９の高さに相応して方形の溝２２が設けられている。この溝２２も同じく底部１５の面の上方に設けられている。この底部１５の手前の端部には、両側の切欠き２３によって、上方に向けられた係止突起２５を備えた、やや上方に向けられた係合舌片２４が形成されている（図７および図８も参照）。
【００１９】
このように形成された基体８のガイドレール９内には、スライダ１１（図１０〜図１２も参照）が移動可能に配置されている。このスライダ１１は、ほぼ平らなベース部分１９を有している。このベース部分１９は、これにＴ字形に一体成形された操作付設部２６に対して、ガイドレール９に設けられた斜めに延びる切欠き１４に相当する角度で傾けられている（図１０参照）。ベース部分１９の上面には、押込み方向Ｐで先細りにされた締付け楔１２が一体成形されている。この締付け楔１２は、外側の楔面２７がベース部分１９と同じ角度で延びているのに対して、内側の楔面２８は操作付設部２６に対して垂直に延びていることによって楔形状を獲得している（図１０参照）。内側の楔面２８は、スライダ１１がガイドレール９内に押し込まれた場合に、ガイドレール９の側壁１７に設けられた係合縁部２１に対して鏡像的に第２の係合縁部２９が形成されているようにアンダカットされている。この第２の係合縁部２９は、図６に示したように、波形管１の固定条片５に設けられた第２のアンダカット４に背後から係合することができる。ベース部分１９の、楔面２７とは反対の側に位置する側面３１は、ガイドレール９の側壁１７に設けられた段部１８の側面に接触している。
【００２０】
スライダ１１はガイドレール９内で、緩められた位置と、締め付けられた位置とをとることができる。このためには、スライダ１１がその下面に、長手方向で間隔を置いて配置された２つの切欠き３２を有している。両切欠き３２内には、ガイドレール９の、ばね弾性的に形成された係合舌片２４に設けられた係止突起２５を係止することができる（図１１および図４参照）。また、両切欠き３２のうちの後方の切欠きが操作付設部２６に直接続くように形成されていると有利である。図４および図５には、固定エレメント７が、スライダ１１の、緩められた位置で示してある。すなわち、係合舌片２４の係止突起２５が前方の切欠き３２に係合して位置している。この前方の切欠き３２は、図示の構成によれば、スライダ１１のほぼ半分の長さでスライダ１１の下面に位置している（図１１参照）。したがって、スライダ１１は、緩められた位置で紛失され得ないように基体８もしくはガイドレール９内に保持されており、固定エレメント７は全体的に準備位置に位置している。
【００２１】
図３から分かるように、スライダ１１は、ベース部分１９の側方から張り出したガイド条片３０，３３によってガイドレール９内に案内されている。このためには、ガイドレール９の側壁１６に方形の溝２２が加工成形されており、段部１８の下方に別の方形の溝２０が加工成形されている。ガイド条片３０，３３は、両溝２０，２２内に係合することができかつ両溝内２０，２２で滑動することができる。
【００２２】
固定エレメント７の特定の使用事例では、上述したように、たとえばケーブル束を挿入した、図１および図２に示した波形管１がその固定条片５で、緩められた位置にあるスライダ１１と共にガイドレール９内に押し込まれるかまたは圧入される。この場合、ガイドレール９とスライダ１１の締付け楔１２とに設けられた、互いに向かい合って位置する係合縁部２１，２９が、波形管１のガイド条片５をアンダカット４で取り囲むように把持している（図６参照）。その後、スライダ１１は、ガイドレール９の底部１５に設けられた、ばね弾性的に形成された係合舌片２４の係止突起２５が、操作付設部２６の近くに位置する切欠き３２内に係止し、これによって、スライダ１１が、この締め付けられる位置でロックされるまで矢印Ｐの方向でガイドレール９内に押し込まれる。ガイドレール９内へのスライダ１１の押込み時には、締付け楔１２の作用によって、ガイドレール９の一方の側壁１７に設けられた係合縁部２１と、締付け楔１２の内側の楔面２８との間の間隔が減少する（図１２も参照）。この場合、両係合縁部２１，２９は、波形管１の固定条片５のアンダカット４に係合して固く押圧され、これによって、アンダカット４への係合縁部２１，２９のための作用面が比較的小さい場合でも、固定エレメント７ひいては支持体部分（図示せず）への波形管１の確実な保持が保証されている。
【図面の簡単な説明】
【図１】  波形管を固定するために、下側で長手方向に延びるアンダカットを備えた波形管の側面図である。
【図２】  図１に示した波形管を１つの開口の方向で見た図である。
【図３】  本発明による固定エレメントの斜視図である。
【図４】  図３に示した固定エレメントの側面図である。
【図５】  図３に示した固定エレメントの平面図である。
【図６】  図４のＶＩ−ＶＩ断面線に沿った、締め込まれた固定条片を備えた固定エレメントの横断面図である。
【図７】  図３に示した固定エレメントの基体の平面図である。
【図８】  図７のＶＩＩＩ−ＶＩＩＩ断面線に沿った固定エレメントの基体の縦断面図である。
【図９】  図８のＩＸ−ＩＸ断面線に沿った固定エレメントの基体の横断面図である。
【図１０】  図３に示した固定エレメントのスライダの平面図である。
【図１１】  図１０に示したスライダの側面図である。
【図１２】  図１１のＸＩＩ−ＸＩＩ断面線に沿ったスライダの横断面図である。
【符号の説明】
１  波形管、  ２  溝、  ３  リブ、  ４  アンダカット、  ５  固定条片、  ６  壁、  ７  固定エレメント、  ８  基体、  ９  ガイドレール、  １０  固定基部、  １１  スライダ、  １２  締付け楔、  １３  つば、  １４  切欠き、  １５  底部、  １６  側壁、  １７  側壁、  １８  段部、  １９  ベース部分、  ２０  溝、  ２１  係合縁部、  ２２  溝、  ２３  切欠き、  ２４  係合舌片、  ２５  係止突起、  ２６  操作付設部、  ２７  楔面、  ２８  楔面、  ２９  係合縁部、  ３０  ガイド条片、  ３１  側面、  ３２  切欠き、  ３３  ガイド条片、  Ｐ  押込み方向
【図１】
0003662540.tif 000002
【図２】
0003662540.tif 000003
【図３】
0003662540.tif 000004
【図４】
0003662540.tif 000005
【図６】
0003662540.tif 000006
【図５】
0003662540.tif 000007
【図７】
0003662540.tif 000008
【図８】
0003662540.tif 000009
【図９】
0003662540.tif 000010
【図１０】
0003662540.tif 000011
【図１１】
0003662540.tif 000012
【図１２】
0003662540.tif 000013